(57)【要約】【課題】キャップと軸筒との嵌合状態が強固である場合や、手に軍手等の手袋を装着した状態でキャップを取り外す場合でも、キャップを容易に取り外すことができる筆記具を提供する。【解決手段】本発明の筆記具１は、前端にペン先２を備えた軸筒３と、該軸筒３の前端部外周面に装着可能なキャップ４とからなる。キャップ４を軸筒３の前端部外周面に装着した状態において、キャップ４の開口端外周縁と軸筒３の外周面との間に環状の段差部５を設ける。段差部５の径方向の段差寸法Ｔ１を１．０ｍｍ以上に設定する。キャップ４の軸方向の長さＬを３０ｍｍ以上に設定する。キャップ４の最大外径部の外径Ｄを１５ｍｍ以上に設定する。【選択図】  図１
2008265171.tif 000002
【特許請求の範囲】
【請求項１】
前端にペン先を備えた軸筒と、該軸筒の前端部外周面に装着可能なキャップとからなる筆記具であって、キャップを軸筒の前端部外周面に装着した状態において、キャップの開口端外周縁と軸筒の外周面との間に環状の段差部を設け、前記段差部の径方向の段差寸法を１．０ｍｍ以上に設定したことを特徴とする筆記具。
【請求項２】
キャップの軸方向の長さを３０ｍｍ以上に設定した請求項１記載の筆記具。
【請求項３】
キャップの最大外径部をキャップの開口端外周面に設け、前記キャップの最大外径部の外径を１５ｍｍ以上に設定した請求項１または２記載の筆記具。
【請求項４】
キャップの最大外径部の外周面に軸方向に延びる複数本のリブを突設した請求項１乃至３のいずれかに記載の筆記具。
【請求項５】
キャップを軸筒の後端部外周面に装着した状態において、キャップの開口端外周縁と軸筒の外周面との間に環状の段差部を設け、前記段差部の径方向の段差寸法を１．０ｍｍ以上に設定した請求項１乃至４のいずれかに記載の筆記具。
【請求項６】
軸筒の前端部の外周面が、小径部と、該小径部の後方に形成され且つ該小径部の外径より大きい外径を有する中径部と、該中径部の後方に形成され且つ該中径部の外径より大きい外径を有する大径部と、該大径部前端と該中径部後端との間に形成された前側段部とを備え、キャップが、小径筒部と、該小径筒部より開口端方向に一体に連設された中径筒部と、該中径筒部より開口端方向に一体に連設された大径筒部と、該大径筒部と該中径筒部との間に一体に形成された規制壁部とを備え、キャップを軸筒の前端部外周面に装着した状態において、前記小径部外周面と前記小径筒部内周面とが嵌合し、前記中径部外周面と前記中径筒部内周面とが嵌合し、前記大径部外周面を前記大径筒部が包囲し、前記前側段部と前記規制壁部とが軸方向に当接し、前記大径筒部の開口端外周縁と軸筒の外周面との間に環状の段差部を設けてなる請求項１乃至５のいずれかに記載の筆記具。
【請求項７】
軸筒の後端部外周面が、前記中径部と同じ外径を有する縮径部と、該縮径部前方に形成された後側段部とを備え、キャップを軸筒の後端部外周面に装着した状態において、前記縮径部外周面と前記中径筒部内周面とが嵌合し、前記縮径部の前方の軸筒の外周面を前記大径筒部が包囲し、前記後側段部と前記規制壁部とが軸方向に当接し、前記大径筒部の開口端外周縁と軸筒の外周面との間に環状の段差部を設けてなる請求項６記載の筆記具。
【発明の詳細な説明】
【技術分野】
【０００１】
本発明は、筆記具に関する。詳細には、前端にペン先を備えた軸筒と、該軸筒の前端部外周面に装着可能なキャップとからなる筆記具に関する。尚、本発明において、「前」とはペン先側を指し、「後」とはその反対側を指す。
【背景技術】
【０００２】
従来、特許文献１には、先軸の先端小径部と先端大径部とにおいて気密嵌合するキャップが開示されている。
【０００３】
【特許文献１】実公平２−２１２７２号公報
【発明の開示】
【発明が解決しようとする課題】
【０００４】
前記従来のキャップは、軸筒のペン先側に装着状態にあるキャップを取り外す場合、キャップと軸筒との嵌合状態が強固であると、容易にキャップを取り外すことができないおそれがある。また、前記従来のキャップは、手に軍手等の手袋をしたままでは、キャップをしっかり掴むことができず、キャップを容易に取り外すことができないおそれがある。
【０００５】
本発明は前記従来の問題点を解決するものであって、キャップと軸筒との嵌合状態が強固である場合や、手に軍手等の手袋を装着した状態でキャップを取り外す場合でも、キャップを容易に取り外すことができる筆記具を提供しようとするものである。
【課題を解決するための手段】
【０００６】
本願の第１の発明は、前端にペン先２を備えた軸筒３と、該軸筒３の前端部外周面に装着可能なキャップ４とからなる筆記具であって、キャップ４を軸筒３の前端部外周面に装着した状態において、キャップ４の開口端外周縁と軸筒３の外周面との間に環状の段差部５を設け、前記段差部５の径方向の段差寸法Ｔ１を１．０ｍｍ以上（好ましくは１．５ｍｍ以上、さらに好ましくは２．０ｍｍ以上）に設定したことを要件とする。
【０００７】
前記第１の発明の筆記具１は、キャップ４を軸筒３の前端部外周面に装着した状態において、キャップ４の開口端外周縁と軸筒３の外周面との間に環状の段差部５を設け、前記段差部５の径方向の段差寸法Ｔ１を１．０ｍｍ（ミリメートル）以上（好ましくは１．５ｍｍ以上、さらに好ましくは２．０ｍｍ以上）に設定したことにより、軸筒３の前端部外周面（ペン先側）に装着状態にあるキャップ４を取り外す際、キャップ４と軸筒３との嵌合状態が強固である場合や軍手等の手袋を手に装着した状態の場合でも、環状の段差部５（キャップ４の開口端）に指先や手のひらを引っ掛けて、キャップ４を軸筒３から容易に取り外すことができる。もし、前記段差部５の径方向の段差寸法Ｔ１が１．０ｍｍ未満の場合、キャップ開口端に指先や手のひらを引っ掛けることが困難となり、キャップ４と軸筒３との嵌合状態が強固である場合や軍手等の手袋を手に装着した状態の場合、キャップ４を軸筒３から容易に取り外すことできないおそれがある。
【０００８】
本願の第２の発明は、前記第１の発明において、前記キャップ４の軸方向の長さＬ（即ち全長）を３０ｍｍ以上（好ましくは３５ｍｍ以上、さらに好ましくは４０ｍｍ以上）に設定したことを要件とする。
【０００９】
前記第２の発明の筆記具１は、前記キャップ４の軸方向の長さＬを３０ｍｍ以上（好ましくは３５ｍｍ以上、さらに好ましくは４０ｍｍ以上）に設定したことにより、軸筒３の外周面に装着状態にあるキャップ４を取り外す際、手で握るキャップ４外周面の面積を十分に確保できるため、キャップ４と軸筒３との嵌合状態が強固である場合や軍手等の手袋を手に装着した状態の場合でも、キャップ４を軸筒３から容易に取り外すことができる。もし、キャップ４の軸方向の長さＬが３０ｍｍ未満の場合、手で握るキャップ４外周面の面積が小さ過ぎ、キャップ４と軸筒３との嵌合状態が強固である場合や軍手等の手袋を手に装着した状態の場合であると、キャップ４を軸筒３から容易に取り外すことができないおそれがある。
【００１０】
本願の第３の発明は、前記第１または第２の発明において、キャップ４の最大外径部をキャップ４の開口端外周面に設け、前記キャップ４の最大外径部の外径Ｄを１５ｍｍ以上（好ましくは２０ｍｍ以上）に設定したことを要件とする。
【００１１】
前記第３の発明の筆記具１は、前記キャップ４の最大外径部の外径Ｄを１５ｍｍ以上（好ましくは２０ｍｍ以上）に設定したことにより、軸筒３の外周面に装着状態にあるキャップ４を取り外す際、手で握るキャップ４外周面の面積を十分に確保できるため、キャップ４と軸筒３との嵌合状態が強固である場合や軍手等の手袋を手に装着した状態の場合、キャップ４を軸筒３から容易に取り外すことができる。また、前記第３の発明の筆記具１は、前記キャップ４の最大外径部の外径Ｄを１５ｍｍ以上（好ましくは２０ｍｍ以上）に設定したことにより、キャップ４を軸筒３の前端部外周面に装着した状態において、キャップ４の開口端外周縁と軸筒３の外周面との間に、十分な段差寸法Ｔ１を有する環状の段差部５を確実に形成できる。
【００１２】
本願の第４の発明は、前記第１乃至３のいずれかの発明において、前記キャップ４の最大外径部の外周面に軸方向に延びる複数本のリブ４３ａを突設したことを要件とする。
【００１３】
前記第４の発明の筆記具１は、前記キャップ４の最大外径部の外周面に複数本の軸方向のリブ４３ａを突設したことにより、キャップ４を回転させる際のキャップ４と手との有効な滑り止め効果が得られ、容易に、キャップ４を軸筒３に対して回転させながら外すことができる。
【００１４】
本願の第５の発明は、前記第１乃至４のいずれかの発明において、キャップ４を軸筒３の後端部外周面に装着した状態において、キャップ４の開口端外周縁と軸筒３の外周面との間に環状の段差部６を設け、前記段差部６の径方向の段差寸法Ｔ２を１．０ｍｍ以上（好ましくは１．５ｍｍ以上、さらに好ましくは２．０ｍｍ以上）に設定したことを要件とする。
【００１５】
前記第５の発明の筆記具１は、キャップ４を軸筒３の後端部外周面に装着した状態において、キャップ４の開口端外周縁と軸筒３の外周面との間に環状の段差部６を設け、前記段差部６の径方向の段差寸法Ｔ２を１．０ｍｍ以上（好ましくは１．５ｍｍ以上、さらに好ましくは２．０ｍｍ以上）に設定したことにより、軸筒３の後端部外周面に装着状態にあるキャップ４を取り外す際、キャップ４と軸筒３との嵌合状態が強固である場合や軍手等の手袋を手に装着した状態の場合でも、キャップ４の開口端に指先や手のひらを引っ掛けて、キャップ４を軸筒３から容易に取り外すことができる。前記段差部６の径方向の段差寸法Ｔ２が１．０ｍｍ未満の場合、環状の段差部６（キャップ４の開口端）に指先や手のひらを引っ掛けることが困難となり、キャップ４と軸筒３との嵌合状態が強固である場合や軍手等の手袋を手に装着した状態の場合、キャップ４を軸筒３から容易に取り外すことできないおそれがある。
【００１６】
本願の第６の発明は、前記第１乃至５のいずれかの発明において、軸筒３の前端部の外周面が、小径部３１と、該小径部３１の後方に形成され且つ該小径部３１の外径より大きい外径を有する中径部３２と、該中径部３２の後方に形成され且つ該中径部３２の外径より大きい外径を有する大径部３３と、該大径部３３前端と該中径部３２後端との間に形成された前側段部３４とを備え、キャップ４が、小径筒部４１と、該小径筒部４１より開口端方向に一体に連設された中径筒部４２と、該中径筒部４２より開口端方向に一体に連設された大径筒部４３と、該大径筒部４３と該中径筒部４２との間に一体に形成された規制壁部４４とを備え、キャップ４を軸筒３の前端部外周面に装着した状態において、前記小径部３１外周面と前記小径筒部４１内周面とが嵌合し、前記中径部３２外周面と前記中径筒部４２内周面とが嵌合し、前記大径部３３外周面を前記大径筒部４３が包囲し、前記前側段部３４と前記規制壁部４４とが軸方向に当接し、前記大径筒部４３の開口端外周縁と軸筒３の外周面との間に環状の段差部５を設けてなることを要件とする。
【００１７】
前記第６の発明の筆記具１は、キャップ４を軸筒３の前端部に装着した際、前記小径部３１外周面と前記小径筒部４１内周面とが嵌合し、前記中径部３２外周面と前記中径筒部４２内周面とが嵌合し、前記大径部３３外周面を前記大径筒部４３が包囲し、前記前側段部３４と前記規制壁部４４とが軸方向に当接し、前記大径筒部４３の開口端外周縁と軸筒３の外周面との間に環状の段差部５を設けてなる構成であるため、キャップ４と軸筒３との嵌合状態が緩い場合では、キャップ４のぐらつきを抑えることができ、不用意にキャップ４が外れることがなく、また、キャップ４と軸筒３との嵌合状態が強固である場合や軍手等の手袋を手に装着した状態の場合でも、環状の段差部５（キャップ４の開口端）に指先や手のひらを引っ掛けて、キャップ４を軸筒３から容易に取り外すことができる。尚、前記大径筒部４３の軸方向の長さは、十分なぐらつき防止効果が得られる点から１０ｍｍ以上であることが有効である。
【００１８】
本願の第７の発明は、前記第６の発明において、軸筒３の後端部外周面が、前記中径部３２と同じ外径を有する縮径部３５と、該縮径部３５前方に形成された後側段部３６とを備え、キャップ４を軸筒３の後端部外周面に装着した状態において、前記縮径部３５外周面と前記中径筒部４２内周面とが嵌合し、前記縮径部３５の前方の軸筒３の外周面を前記大径筒部４３が包囲し、前記後側段部３６と前記規制壁部４４とが軸方向に当接し、前記大径筒部４３の開口端外周縁と軸筒３の外周面との間に環状の段差部６を設けてなることを要件とする。
【００１９】
前記第７の発明の筆記具１は、キャップ４を軸筒３の後端部に装着した際、前記縮径部３５外周面にキャップ４の中径筒部４２内周面が嵌合し、前記縮径部３５の前方の軸筒３の外周面をキャップ４の大径筒部４３が包囲し、前記後側段部３６と前記規制壁部４４とが軸方向に当接してなる構成であるため、キャップ４と軸筒３の後端部との嵌合状態が緩い場合では、キャップ４のぐらつきを抑えることができ、不用意にキャップ４が外れることがなく、また、キャップ４と軸筒３の後端部との嵌合状態が強固である場合や軍手等の手袋を手に装着した状態の場合でも、環状の段差部６（キャップ４の開口端）に指先や手のひらを引っ掛けて、キャップ４を軸筒３から容易に取り外すことができる。
【発明の効果】
【００２０】
本発明筆記具は、キャップと軸筒との嵌合状態が強固である場合や、手に軍手等の手袋を装着した状態でキャップを取り外す場合でも、キャップを容易に取り外すことができる。
【発明を実施するための最良の形態】
【００２１】
本発明の実施の形態の筆記具１を図１乃至図５に示す。
本実施の形態の筆記具１は、前端にペン先２を備える軸筒３と、該軸筒３の前端部及び軸筒３の後端部に装着可能なキャップ４とからなる。
【００２２】
・ペン先
前記ペン先２は、マーキングペン用ペン先であり、合成樹脂製繊維束（例えば、ポリエステル繊維、アクリル繊維、ナイロン繊維等）の樹脂加工体または合成樹脂の連続気泡体よりなる。前記ペン先２の前端は、砲弾状またはチゼル状に研削される。
【００２３】
・軸筒
前記軸筒３内にはインキが、直接収容されるか、またはインキ吸蔵体に含浸させた状態で収容される。前記軸筒３内のインキがペン先２より吐出可能である。前記軸筒３内に収容されたインキは、水性インキまたは油性インキのいずれであってもよいが、本実施の形態では油性インキが採用される。
【００２４】
前記軸筒３は、前軸３ａと後軸３ｂとからなる。前記前軸３ａは、合成樹脂（例えば、ポリプロピレン、ポリエチレン等）の射出成形により得られる筒状体である。前記前軸３ａの前端部にペン先２が取り付けられる。前記前軸３ａの前端部外周面には、小径部３１と、該小径部３１の外径より大きい外径を有する中径部３２と、該中径部３２の外径より大きい外径を有する大径部３３とが形成される。前記小径部３１の後方に前記中径部３２が一体に連設され、前記中径部３２の後方に前記大径部３３が一体に連設される。前記中径部３２の後端と前記大径部３３の前端との間には、前側段部３４が環状に形成される。前記前側段部３４は、軸線に対して略垂直面となる。
【００２５】
前記小径部３１の外周面には環状平滑面３１ａが形成される。前記中径部３２の外周面には環状の外向突起３２ａが形成される。
【００２６】
・後軸
前記後軸３ｂは、前軸３ａの後端開口部に着脱自在に螺着される。前記後軸３ｂは、合成樹脂（例えば、ポリプロピレン、ポリエチレン等）の射出成形により得られる筒状体である。前記後軸３ｂの後端部外周面には縮径部３５が形成される。前記縮径部３５の外周面には、環状の外向突起３５ａが形成される。前記縮径部３５の外向突起３５ａの外径は、中径部３２の外向突起３２ａの外径と等しい。前記縮径部３５の前方の後軸３ｂの外周面には、後側段部３６が環状に形成される。前記後側段部３６は、軸線に対して略垂直面となる。
【００２７】
・キャップ
前記キャップ４は、軸筒３の前端部外周面及び軸筒３の後端部外周面に着脱自在に装着される。前記キャップ４を軸筒３の前端部（ペン先側）に装着することにより、軸筒３のペン先側が密封され、ペン先側からのインキの蒸発が防止される。前記キャップ４を軸筒３の後端部（反ペン先側）に装着することにより、筆記使用時、キャップ４を軸筒３に連結させることができ、キャップ４の紛失を防ぐことができる。
【００２８】
前記キャップ４は、合成樹脂（例えば、ポリプロピレン、ポリエチレン等）の射出成形により得られる筒状体である。前記キャップ４は、一端が開口され且つ他端が閉鎖された有底筒体からなる。具体的には、キャップ４は、小径筒部４１と、該小径筒部４１より開口端方向に一体に連設され且つ該小径筒部４１の外径より大きい外径を有する中径筒部４２と、該中径筒部４２より開口端方向に一体に連設され且つ該中径筒部４２の外径より大きい外径を有する大径筒部４３と、該大径筒部４３と該中径筒部４２との間に一体に形成された規制壁部４４とを備える。また、前記キャップ４は、前記中径筒部４２より閉塞端方向に一体に連設され且つ小径筒部４１外周面を包囲する外筒部４５を備える。前記外筒部４５は、小径筒部４１閉塞端よりもキャップ４閉塞端方向に突出されている。
【００２９】
前記小径筒部４１の内周面には、環状の内向突起４１ａが一体に形成され、前記中径筒部４２の内周面には、周状に分散配置された複数の点状突起４２ａが一体に形成される。
【００３０】
キャップ４を軸筒３の前端部（ペン先側）外周面に装着した状態において（図１参照）、前記小径筒部４１内周面の内向突起４１ａと前記小径部３１外周面の環状平滑面３１ａとが気密嵌合し、前記中径筒部４２内周面の点状突起４２ａと前記中径部３２外周面の環状の外向突起３２ａとが乗り越え嵌合し、前記キャップ４の規制壁部４４が前記軸筒３の前側段部３４と軸方向に当接する。それにより、キャップ４と軸筒３との嵌合状態が緩い場合でも、キャップ４のぐらつきを抑えることができ、不用意にキャップ４が外れることがない。
【００３１】
キャップ４を軸筒３の後端部（反ペン先側）外周面に装着した状態において（図２参照）、前記中径筒部４２内周面の点状突起４２ａと前記縮径部３５外周面の環状の外向突起３５ａとが乗り越え嵌合し、前記キャップ４の規制壁部４４と前記軸筒３の後側段部３６と軸方向に当接する。それにより、キャップ４と軸筒３との嵌合状態が緩い場合でも、キャップ４のぐらつきを抑えることができ、不用意にキャップ４が外れることがない。
【００３２】
・環状の段差部
キャップ４を軸筒３の前端部（ペン先側）外周面に装着した状態のとき（図１参照）、キャップ４の開口端外周縁と軸筒３の外周面との間に、環状の段差部５が形成される。また、キャップ４を軸筒３の後端部（反ペン先側）外周面に装着した状態のとき（図２参照）、キャップ４の開口端外周縁と軸筒３の外周面との間に、環状の段差部６が形成される。
【００３３】
前記二つの段差部５・６の径方向の段差寸法Ｔ１・Ｔ２（即ちキャップ４の開口端外周縁と軸筒３の外周面との径方向の距離）は、いずれも、１．５ｍｍ〜５．０ｍｍに設定されている。それにより、軸筒３の外周面（即ち軸筒３の前端部外周面または軸筒３の後端部が外周面）に装着状態にあるキャップ４を取り外す際、キャップ４と軸筒３との嵌合状態が強固である場合や軍手等の手袋を手に装着した状態の場合でも、環状の段差部５・６（キャップ４の開口端）に指先や手のひらを引っ掛けて、キャップ４を軸筒３から容易に取り外すことができる。尚、前記キャップ４の開口端面は、指先や手のひらが引っ掛け易い点で、軸線に対して略垂直面であることが好ましい。また、前記段差部５・６の径方向の段差寸法Ｔ１・Ｔ２が５．０ｍｍを超えると、筆記具全体の外観性が損なわれるおそれがある。
【００３４】
・キャップの軸方向の長さ
前記キャップ４の軸方向の長さＬは、４０ｍｍ〜６０ｍｍに設定される。それにより、軸筒３の外周面（即ち軸筒３の前端部外周面または軸筒３の後端部が外周面）に装着状態にあるキャップ４を取り外す際、手で握るキャップ４外周面の面積を十分に確保できるため、キャップ４と軸筒３との嵌合状態が強固である場合や軍手等の手袋を手に装着した状態の場合でも、キャップ４を軸筒３から容易に取り外すことができる。また、キャップ４の軸方向の長さＬは、６０ｍｍを超えると、筆記具全体の外観性が損なわれるおそれがある。
【００３５】
・最大外径部
キャップ４の大径筒部４３の外周面は、キャップ４全体で最も大きい外径を有する最大外径部となる。前記最大外径部（大径筒部４３）はキャップ４の開口端外周面に設けられる。前記最大外径部の外径Ｄは、２０ｍｍ〜３０ｍｍに設定される。それにより、軸筒３の外周面（即ち軸筒３の前端部外周面または軸筒３の後端部が外周面）に装着状態にあるキャップ４を取り外す際、手で握るキャップ４外周面の面積を十分に確保できるため、キャップ４と軸筒３との嵌合状態が強固である場合や軍手等の手袋を手に装着した状態の場合でも、キャップ４を軸筒３から容易に取り外すことができる。また、キャップ４を軸筒３の外周面（即ち軸筒３の前端部外周面または軸筒３の後端部外周面）に装着した状態において、キャップ４の開口端外周縁と軸筒３の外周面との間に、十分な段差寸法Ｔ１・Ｔ２を有する環状の段差部５・６を確実に形成できる。また、前記最大外径部の外径Ｄは、３０ｍｍを超える場合、筆記具全体の外観性が損なわれるおそれがある。
【００３６】
・リブ
前記キャップ４の大径筒部４３外周面（最大外径部の外周面）には、軸方向に延びる複数本のリブ４３ａが一体に突出形成される。それにより、キャップ４を回転させる際のキャップ４と手との有効な滑り止め効果が得られ、容易に、キャップ４を軸筒３に対して回転させながら外すことができる。
【図面の簡単な説明】
【００３７】
【図１】本発明の実施の形態のキャップを軸筒の前端部に装着した状態の要部縦断面図である。
【図２】図１のキャップを軸筒の後端部に装着した状態の要部縦断面図である。
【図３】図１のキャップの正面図である。
【図４】図３のＡ−Ａ線断面図である。
【図５】図３のキャップの縦断面図である。
【符号の説明】
【００３８】
１  筆記具
２  ペン先
３  軸筒
３ａ  前軸
３ｂ  後軸
３１  小径部
３１ａ 環状平滑面
３２  中径部
３２ａ 外向突起
３３  大径部
３４  前側段部
３５  縮径部
３５ａ 外向突起
３６  後側段部
４  キャップ
４１  小径筒部
４１ａ 内向突起  
４２  中径筒部
４２ａ 点状突起
４３  大径筒部（最大外径部）
４３ａ  リブ
４４  規制壁部
４５  外筒部  
５  段差部
６  段差部
Ｔ１  段差寸法
Ｔ２  段差寸法
Ｌ  軸方向の長さ
Ｄ  最大外径部の外径
【図１】
2008265171.tif 000003
【図２】
2008265171.tif 000004
【図３】
2008265171.tif 000005
【図４】
2008265171.tif 000006
【図５】
2008265171.tif 000007